【手続補正書】
【提出日】平成15年11月5日(2003.11.5)
【手続補正１】
【補正対象書類名】明細書
【補正対象項目名】０００７
【補正方法】変更
【補正の内容】
【０００７】
【発明の実施の形態】
（１）本発明の粉体／粉体組成物の評価法本発明の粉体／粉体組成物の評価法は、角度の異なる２種以上の入射角に対する、反射光の特性を比較することを特徴とする。ここで、異なる角度としては、サンプルの作る平面に垂直な線に対して角度が、低いものと高いものを選択するのが好ましい。ここで低いとはサンプルの作る平面に垂直な線に近い角度を意味し、高いとは水平面に近い角度を意味する。好ましい角度としては、低い方がサンプルの作る平面に垂直な線に対して１０〜３０度、更に好ましくは１５〜２５度であり、高い方が６０〜９０度、更に好ましくは７０〜８０度である。低い角度と高い角度では４０〜６０度の差があることが好ましい。これは、角度により、粉体の光学効果が異なり、その総和が見え方となるからである。勿論この２種の角度以外の角度の光を投射し、その光学特性を測定し、更に詳細な分析を行うことも可能であり、この様な技術も本発明の技術範囲に属する。ここで、上記リフトメークアップとデフォーカスメークアップのキャラクタライズに必要な光学的な効果としては、艶、即ち、測定値で言えばグロス値が好ましく例示できる。これは、リフトメークアップに於いて重要なことは、影の形成、即ちシェーディングであり、影の形成により、立体感が形成される。この様な影の形成には、艶が必要であり、艶、即ち、正反射をする部分は強く、影はより暗く見えることにより、立体感が形成されるからである。それとは、反対にデフォーカスメークアップでは、顔表面の正反射を抑え、拡散による光学効果を増大させるため、シェーディング等は殆ど発現されなくなる。これを、低角度の入射角を２０度、高角度の入射角を７５度とした場合の本発明の評価法による現象で以下にあらわす。但し、数値は、アクリル樹脂系接着剤をガラス板上に０．５ミルのドクターブレードで塗工、乾燥後、この上にチークブラシを用いて均一に粉体及び／又は粉体組成物を広げて固定して試料とした場合のものである。２０度の入射角に対する２０度受光でのグロス値が５以上と高く、受光角度が高くになるにつれてグロス値が大きく低下するものは正反射タイプ（以下、タイプ１と言う。）であり、リフトメークアップ化粧料と分類される。又、２０度、７５度入射光に対するグロス値が５未満と低く、受光角度によるグロス値の差が小さいものは、艶のない、即ち、拡散反射の強いデフォーカスメークアップタイプ（以下、タイプ２と言う。）であるということが出来る。更に、２０度、７５度の入射光でのグロス値がともに５以下と低く、しかも受光角に依存的にグロス値が変化するものは一般的な仕上がりのメークアップ（以下、タイプ３と言う。）であるといえる。加えて、従来に於いては存在しなかったと思われていた、７５度入射光に対する７５度受光でのグロス値が、２０度入射光に対する２０度受光でのグロス値よりも高く、且つ、受光角の角度によるグロス値の変化率が、２０度入射光のものに比べて大きいと言った、高角度で正反射、低角度で拡散タイプのいわばデフォーカス・小顔タイプ（以下、タイプ４と言う。）が存在することも、本発明の結果判明した。この様なタイプの粉体を多く使用し、メークアップ化粧料を作成すると、正面から見ると中心部がデフォーカス、側面がシェーディングして見えると言った、リフトメークアップとデフォーカスメークアップの性格を兼ね備えた特性を有する化粧料が存在することも見出した。この様に本発明の評価法によって測定することにより、粉体或いは粉体組成物を的確に且つ簡便に鑑別することが出来ることがわかる。又、測定・評価の対象としては、粉体そのもの、混合粉体や化粧料などの粉体組成物の何れでも選択でき、粉体であれば、粉体組成物の設計などに有益な粉体の光学特性を評価・鑑別することが出来、粉体組成物であれば、製品を使用したときの光学特性を知ることが出来る。又、粉体組成物の設計にあたっては、前記粉体自身のこれらの特性値を利用すれば、大凡の挙動を理解することが出来る。


【手続補正２】
【補正対象書類名】明細書
【補正対象項目名】００１０
【補正方法】変更
【補正の内容】
【００１０】
本発明の、粉体組成物としては、粉体を含有する組成物であれば特段の限定はされないが、特には立体上に塗布されるものが好ましく、例えば、ペイント等の塗料組成物や化粧料などの皮膚外用組成物が好適に例示できる。これらの内では、本発明効果の特性から、化粧料に適用することが好ましく、中でもメークアップ化粧料に適用することが好ましい。本発明の粉体組成物を作成するには、基本的には粉体と同様に試行錯誤によるが、次の点を目安とすることが出来る。
１）タイプ４に分類される粉体を含有すること。取り分け、含有量としては１０〜８０重量％が好ましく、２０〜６０重量％が更に好ましい。
２）１）に加えて、正反射性を有する粉体と拡散性を有する粉体とを含有することが好ましい。
３）全体的に粒子径としては細かいものを選択する。
これらの構成要素以外に、本発明の組成物に於いては、通常これらの組成物で使用される任意成分を、本発明の効果を損なわない範囲に於いて含有することが出来る。この様な任意成分としては、例えば、ワセリンやマイクロクリスタリンワックス等のような炭化水素類、ホホバ油やゲイロウ等のエステル類、牛脂、オリーブ油等のトリグリセライド類、セタノール、オレイルアルコール等の高級アルコール類、ステアリン酸、オレイン酸等の脂肪酸、グリセリンや１，３−ブタンジオール等の多価アルコール類、非イオン界面活性剤、アニオン界面活性剤、カチオン界面活性剤、両性界面活性剤、エタノール、カーボポール等の増粘剤、防腐剤、紫外線吸収剤、抗酸化剤、上記以外の色素や粉体類等が好ましく例示できる。これらの中で、油剤類や色素・粉体は本発明の化粧料の効果に影響を与えやすいので、製剤設計に於いては注意を要する。


【手続補正３】
【補正対象書類名】明細書
【補正対象項目名】００１２
【補正方法】変更
【補正の内容】
【００１２】
＜実施例１＞種々の化粧料用の粉体を、アクリル樹脂系接着剤をガラス板上に０．５ミルのドクターブレードで塗布し、これにチークブラシを用いて均一に粉体を広げ固定しサンプルを策した。このサンプルの粉体の平面に垂直な線に対して２０度の入射角、７５度の入射角で光をあて、受光角を図１に示すように変えてグロスメーターにてグロス値を測定した。結果をタイプ毎に分類して表１に示す。又、これらのグロス値の変化を図２〜図１６に示す。これより、本発明の鑑別法により、粉体類を的確に分類できることがわかる。
更に、粉体類には従来はその存在が全く知られていなかったタイプ４に示されるリフト・デフォーカス粉体が存在することがわかった。
（二酸化チタン・シリカ被覆黄酸化鉄の製造）黄色酸化鉄５０重量部と微粒子二酸化チタン４０重量部と煙霧状シリカゲル１０重量部を遊星ボールミルに仕込み、４８時間処理した。このものを２００℃で１２時間窒素雰囲気中で焼成しシリカ・二酸化チタン被覆黄色酸化鉄を得た。
（二酸化チタン・酸化鉄焼結体の製造）微粒子二酸化チタン９０重量部と黄色酸化鉄１０重量部を混合した後、１ｍｍヘリングボーンスクリーンを装着したパルベライザーで粉砕し、大気中９５０℃、２時間焼成した後、粉砕し二酸化チタン・酸化鉄焼結体を得た。
【手続補正４】
【補正対象書類名】明細書
【補正対象項目名】００１４
【補正方法】変更
【補正の内容】
【００１４】
＜実施例２＞以下に示す処方に従って、本発明の化粧料である、正面から見た場合、顔の正中線に近い部分がデフォーカスであり、これより離れた辺縁部はリフトメークとなる仕上がりのメークアップ化粧料を作製した。即ち、イの成分をヘンシェルミキサーで混合した後、０．１ｍｍ丸穴スクリーンを装着したパルベラーザーで粉砕し、ヘンシェルミキサーで混合しながらロの成分を徐々に加えコーティングし、１ｍｍヘリングボーンスクリーンを装着したパルベライザーで粉砕し、金皿に詰めて加圧成形し、ファンデーションを得た。このものは上記実施例１の鑑別法に於いてタイプ４のデフォーカス・リフト粉体と鑑別された。このものでモデルをメークアップし、その仕上がりを、専門家にコメントしてもらった。コメントは、「顔の目鼻立ちがはっきりリフトアップされているにも関わらず、自然に見えるメークアップ」と言う評価であり、本発明者の意図したとおりの仕上がりであった。更に、無作為に抽出した５名のパネラーにより評価してもらった。評価項目は「自然に見えるか？」と「顔の大きさの印象は小さいか？」と言う質問であり、評価基準は＋＋：そう思う、＋：ややそう思う、±：よくわからない、−：そう思わないであった。結果を表２に、出現例数として示す。これより、本発明の化粧料は本発明の意図したとおり、デフォーカスにより自然な感じを有しながら、シェーディングにより小顔に見える品質を有していることがわかった。
イ
二酸化チタン・シリカ被覆黄酸化鉄       ８０ 重量部
シリコーン処理微粒子二酸化チタン         ３ 重量部
シリコーン処理黄色酸化鉄                 １ 重量部
煙霧状シリカゲル                         ６ 重量部
ロ
オレイン酸オクチルドデシル               ３ 重量部
ジメチコン                               ３ 重量部
スクワラン                               ４ 重量部


【手続補正５】
【補正対象書類名】明細書
【補正対象項目名】図１４
【補正方法】変更
【補正の内容】
【図１４】二酸化チタン・シリカ被覆黄酸化鉄の鑑別結果を示す図である。